(57)【特許請求の範囲】
【請求項１】
開口部の上端面に取り付けられたガイドレールを具備し、このガイドレールに複数の扉体を移動可能に取り付ける上吊式扉支持装置であって、
前記ガイドレールは、下方に開口して並設された走行凹部と複数の移動面とを備え、
このガイドレールの走行凹部に嵌合されるとともに前記移動面に載置されるガイドローラ、このガイドローラを回転可能に軸支するブロック部材、このブロック部材に取り付けられ前記走行凹部から下方に突出するシャフト、前記扉体が取り付けられる取付部材を備えた複数の走行体と、
前記ガイドレールおよび前記走行体の少なくともいずれか一方に移動可能に嵌合され長手方向の一側略中央に穿設され前記走行体のブロック部材および各ガイドローラが挿通される通し孔部、この通し孔部の開口縁に対向して形成され前記走行体のシャフトが摺動可能に係合される第１の連動凹部および第２の連動凹部、および他側の一端に切り欠いて形成され前記走行体に隣接する走行凹部を移動する前記走行体の前記シャフトが摺動可能に係合される第３の連動凹部を備えた連動体と
を具備していることを特徴とした上吊式扉支持装置。
【請求項２】
連動体に形成された係合爪片と、ブロック部材に形成された係合受爪とが摺動可能に係合する
ことを特徴とした請求項１記載の上吊式扉支持装置。
【発明の詳細な説明】
【０００１】
【発明の属する技術分野】
本発明は、ガイドレールに複数の扉体を移動可能に取り付ける上吊式扉支持装置に関する。
【０００２】
【従来の技術】
従来、この種の扉支持装置としては、例えば特開平１１−２２９７１２号公報に記載の構成が知られている。
【０００３】
この特開平１１−２２９７１２号公報に記載の扉支持装置は、被取付面に取り付けた複数のガイドレールの中央に移動可能に配設した扉体である中央用扉体を備えており、この中央用扉体の両端部には、この中央用扉体とともに移動する一対の連動体が取り付けられている。また、中央用扉体を取り付けた両側に位置するガイドレールには、閉塞時に中央用扉体の両側を閉塞する一対の扉体である側用扉体が移動可能に配設されている。
【０００４】
そして、一対の側用扉体それぞれの上端部には、一対の嵌合突部および側用扉ガイド部が取り付けられており、また、中央用扉体の上端部には、中央用扉ガイド部および一対の嵌挿突部が取り付けられている。さらに、連動体には、側用扉体の移動時にこの側用扉体の一対の嵌合突部のいずれか一方が係脱可能に係合して、中央用扉体を移動させる一対の被係合受部が形成されている。
【０００５】
このため、中央用扉体と一対の側用扉体とで閉塞した状態から、一対の側用扉体のいずれか一方を開口方向に移動させることにより、この一方の側用扉体の移動途中で、この一方の側用扉体の嵌合突部が連動体の被係合受部に係合する。この後、この一方の側用扉体をさらに開口方向に移動させると、この一方の側用扉体に付加した力が連動体を介して中央用扉体に伝わるので、この連動体とともに中央用扉体が一方の側用扉体と連動して開口方向に移動する。
【０００６】
さらに、開口した状態から一対の側用扉体のいずれか一方を閉塞方向に移動させることにより、この一方の側用扉体の移動途中で、この一方の側用扉体の嵌合突部が連動体の被係合受部に係合する。この後、この一方の側用扉体を閉塞方向にさらに移動させると、この一方の側用扉体に付加した力が連動体を介して中央用扉体に伝わるので、この連動体とともに中央用扉体が一方の側用扉体と連動して閉塞方向に移動する。
【０００７】
【発明が解決しようとする課題】
しかしながら、上記特開平１１−２２９７１２号公報に記載の扉支持装置は、いわゆる下荷重式の扉支持装置であり、この下荷重式の扉支持装置は、一般的に上吊り式の扉支持装置に比べ、扉を開閉する際の走行性が余り良くない。特に、２枚以上の扉体を連動させる場合には、床面に走行可能に配置した走行体に、扉体のほぼ全ての荷重が掛かるため、その短所が顕著に表れてしまう。
【０００８】
また、上記扉支持装置に用いられる走行体は、床面に埋設したガイドレール上を走行させる必要があるため、通行の妨げとなるこのガイドレールを撤退できない。
【０００９】
さらに、上記扉支持装置に用いられる連動体を使って、上吊式にしようとした場合には、構造や吊り込み方法に問題が生じてしまう。仮に使用した場合には、例えば走行体の組み立ての際に連動体を組み込まなければならず、部品管理が煩雑になったり、吊り込み時には上ガイドレールの特定の走行面に特定の走行体を配置して吊り込まなければならず、不都合が生じてしまうという問題を有している。
【００１０】
本発明は、このような点に鑑みなされたもので、上吊式に対応できる上吊式扉支持装置を提供することを目的とする。
【００１１】
【課題を解決するための手段】
請求項１記載の上吊式扉支持装置は、開口部の上端面に取り付けられたガイドレールを具備し、このガイドレールに複数の扉体を移動可能に取り付ける上吊式扉支持装置であって、前記ガイドレールは、下方に開口して並設された走行凹部と複数の移動面とを備え、このガイドレールの走行凹部に嵌合されるとともに前記移動面に載置されるガイドローラ、このガイドローラを回転可能に軸支するブロック部材、このブロック部材に取り付けられ前記走行凹部から下方に突出するシャフト、前記扉体が取り付けられる取付部材を備えた複数の走行体と、前記ガイドレールおよび前記走行体の少なくともいずれか一方に移動可能に嵌合され長手方向の一側略中央に穿設され前記走行体のブロック部材および各ガイドローラが挿通される通し孔部、この通し孔部の開口縁に対向して形成され前記走行体のシャフトが摺動可能に係合される第１の連動凹部および第２の連動凹部、および他側の一端に切り欠いて形成され前記走行体に隣接する走行凹部を移動する前記走行体の前記シャフトが摺動可能に係合される第３の連動凹部を備えた連動体とを具備しているものである。
【００１２】
そして、この構成では、開口部にガイドレールを取り付け、このガイドレールの複数の移動面のそれぞれに走行体を移動可能に嵌合する。次いで、これら走行体のそれぞれに、隣接する走行体を連動させる連動体を摺動可能に係合させるとともに、この連動体をガイドレールおよび走行体の少なくともいずれか一方に摺動可能に嵌合させた後、これら各走行体に扉体を取り付ける。この結果、扉体をガイドレールに吊り込む以前に、このガイドレールに走行体および連動体が取り付け可能となるので、上吊式に対応可能となる。
【００１３】
さらに、走行体のブロック部材および各ガイドローラが挿通される通し孔部を連動体に設けたことにより、走行体に対する連動体の取り付けが容易になる。
【００１４】
請求項２記載の上吊式扉支持装置は、請求項１記載の上吊式扉支持装置において、連動体に形成された係合爪片と、ブロック部材に形成された係合受爪とが摺動可能に係合するものである。
【００１５】
そして、この構成では、連動体に形成された係合爪片と、ブロック部材に形成された係合受片とが摺動可能に係合されるので、連動体の移動がより確実になり、連動体に対するブロック部材の係合がより確実になる。
【００１６】
【発明の実施の形態】
以下、本発明の上吊式扉支持装置の関連技術の構成を図１ないし図４を参照して説明する。
【００１７】
図１ないし図４において、１は上吊式扉支持装置で、この上吊式扉支持装置１は、建物の開口部２の梁、家具の開口部２の天板部または間仕切り部の天井、すなわち框部などの上面側である被取付面としての上端面３に取り付けた扉体としての引戸体４を開閉可能に設置する。また、この上吊式扉支持装置１は、水平に配設固定した細長棒状のガイドレール11を備えている。このガイドレール11は、略平坦に形成された取付面12が、上端面３に取り付けられている。
【００１８】
そして、この取付面12に対向した位置には、長手方向に沿った細長略凹状の走行凹部である複数、例えば３つの第１の走行凹部13a、第２の走行凹部13bおよび第３の走行凹部13cが並行に並設されている。これら第１の走行凹部13a、第２の走行凹部13bおよび第３の走行凹部13cのそれぞれの各先端には、相対する方向に向けて突出した保持片14a，14bがそれぞれ形成されており、これら保持片14a，14bの内側の面には、凹弧状の移動面であるローラ走行面15a，15bがそれぞれ形成されている。
【００１９】
さらに、第１の走行凹部13a、第２の走行凹部13bおよび第３の走行凹部13cの各先端には、互いに対向する方向に向けて突出した係合片16a，16bがそれぞれ形成されている。そして、ガイドレール11の第１の走行凹部13a、第２の走行凹部13bおよび第３の走行凹部13cそれぞれには、移動体としての走行体21が移動可能に嵌合されている。
【００２０】
そして、この走行体21は、図１および図２に示すように、この走行体21の走行方向に長手方向を有した平面視矩形状のブロック部材22を備えている。このブロック部材22の走行方向における両端には、このブロック部材22の走行方向に対する直角方向に軸方向を有するローラ支軸23a，23bがそれぞれ固定されている。これらローラ支軸23a，23bの両端には、円盤状のガイドローラ24がそれぞれ回転可能に軸支されている。そして、これら各ガイドローラ24は、ガイドレール11の第１の走行凹部13a、第２の走行凹部13bおよび第３の走行凹部13cに走行体21を移動可能に嵌合した状態で、これら第１の走行凹部13a、第２の走行凹部13bおよび第３の走行凹部13cのローラ走行面15a，15bに載置する。
【００２１】
また、ブロック部材22の走行方向における略中間部には、走行体21をガイドレール11の第１の走行凹部13a、第２の走行凹部13bおよび第３の走行凹部13cのいずれかに移動可能に嵌合した状態で、これら第１の走行凹部13a、第２の走行凹部13bおよび第３の走行凹部13cのいずれかから突出する略円柱状のシャフト25が形成されている。このシャフト25の基端には、傘歯車26が挿通されており、ブロック部材22の走行方向における一端側に設けた高さ調整機構としての傘歯車27を回動させることにより、この傘歯車27の回動に伴い、この傘歯車27に噛合した傘歯車26が回動してシャフト25が軸方向に向けて移動、すなわちブロック部材22に対するシャフト25の突出量が変化する。
【００２２】
さらに、シャフト25の先端には、径方向に向けて突出する円環状のフランジ部28が形成されており、このフランジ部28には、建て付け方向である横方向を調整するための横方向調整体29が取り付けられている。この横方向調整体29は、一枚の金属板をプレス成形することにより形成されており、この横方向調整体29の略中心部には、シャフト25が挿通するとともに、このシャフト25のフランジ部28が係止する挿通孔31が穿設されている。
【００２３】
さらに、横方向調整体29の両端には、シャフト25の突出方向である下方に向けて突出する嵌合片32a，32bがそれぞれ設けられている。そして、一方の嵌合片32aの幅方向における中間部には、この嵌合片32aに対して垂直に外方に向けて突出した後に、下方に向けて突出する位置調整片33が形成されている。
【００２４】
また、シャフト25の先端は、取付部材41に挿入されており、この取付部材41には、シャフト25のフランジ部28に係合した横方向調整体29が嵌合する嵌合凹部42が幅方向に貫通して形成されている。そして、シャフト25の先端を挿入した取付部材41の上端略中央には、幅方向に向けて拡径した長穴43が形成されている。また、取付部材41の長手方向における一端面の上方側には、建て付け調整用の摘み体44を嵌挿する摘み嵌合孔45が穿設されている。
【００２５】
この摘み嵌合孔45の開口周縁には、ローレット46が形成されており、摘み体44の基端外周縁には、摘み嵌合孔45のローレット46に係合するローレット47が形成されている。これらローレット46，47は、取付部材41の摘み嵌合孔45に対する摘み体44の回り止めである。
【００２６】
そして、摘み体44の先端周縁には、楔状に切り欠かれた係合凹部48が形成されており、この係合凹部48は、摘み体44を取付部材41の摘み嵌合孔45に嵌挿した状態で、取付部材41の嵌合凹部42に嵌合した横方向調整体29の位置調整片33が挿入する。また、摘み体44の基端面周縁には、この摘み体44の回動位置を確認するための三角形の目印部49が設けられている。さらに、摘み体44の基端面中央には、図示しないプラスドライバでこの摘み体44を軸中心に回動させる十字状の十字溝部51が形成されている。
【００２７】
また、摘み体44を取り付けた側である取付部材41の一側面下方には、略細長半円形状の開口部52が穿設されている。さらに、取付部材41の下方略中央には、この取付部材41の下方から上方に向けて切り欠いた切欠凹部53が形成されている、そして、この切欠凹部53と開口部52との間である取付部材41の上下方向における略中間部には、幅方向に向けて貫通した一対の嵌合溝部54が形成されている。
【００２８】
そして、これら開口部52、切欠凹部53および嵌合溝部54には、取付部材41を着脱可能に収容するための係合体55が付勢手段としての弾性体であるばね体56を介して移動可能に取り付けられている。この係合体55は、取付部材41の切欠凹部53から下方に進むに連れて先細状に突出する係合爪部57を備えており、この係合爪部57の基端両側には、取付部材41の嵌合溝部54のそれぞれに嵌合してこの係合爪部57の上下方向における移動を規制する一対の規制突部58が幅方向に向けて突設されている。
【００２９】
さらに、この規制突部58の基端側には、取付部材41の開口部52から突出して、係合爪部57の移動を操作するレバー部59が形成されており、このレバー部59は、下方に向けて移動させることにより、規制突部58が取付部材41の嵌合溝部54に当接するまで、係合爪部57を下方に向けて移動する。また、取付部材41の上端面の長手方向における両側には、この取付部材41の長手方向に沿った係合段部61が形成されている。
【００３０】
また、取付部材41は、上端および一側が開口したケース体71に側方から着脱可能に収容されている。そして、このケース体71の上端の相対する内縁には、相対する方向に向けて突出した一対の嵌合突部72が形成されている。これら一対の嵌合突部72は、ケース体71に取付部材41を収容した状態で、この取付部材41の係合段部61に係合する。さらに、ケース体71の一側の開口内縁であるこのケース体71内の下端側には、上方に向かうに連れて徐々に長手方向において先細状の爪受片部73が形成されている。この爪受片部73は、ケース体71に取付部材41を収容した状態で、この取付部材41の係合爪部57に係合する。また、ケース体71は、引戸体４の上端面の走行方向である各角部近傍に形成した埋設凹部63a，63bに埋設されている。
【００３１】
さらに、ガイドレール11のローラ走行面15a，15b側には、隣接する走行体21を連動させる連動体としての扉用連動体81が取り付けられている。この扉用連動体81は、扁平略矩形板状に形成されており、この扉用連動体81の長手方向における一側略中央には、この扉用連動体81の一側から他側に向けて切り欠きた凹状の切り欠き部82が形成されている。この切り欠き部82の基端には、扉用連動体81の長手方向である対向する方向へと切り欠いた第１の連動凹部83および第２の連動凹部84がそれぞれ形成されている。
【００３２】
また、切り欠き部82を切り欠いた一側と対向する扉用連動体81の長手方向における他側の一端には、この扉用連動体81の長手方向に向けて凹状に切り欠いた第３の連動凹部85が形成されている。さらに、この第３の連動凹部85と対向する側の扉用連動体81の長手方向における他端の角部は、凹状に切り欠かれて凹部86が形成されている。また、第３の連動凹部85と対向するこの凹部86の一側には、扉用連動体81の長手方向に向けて切り欠いた第４の連動凹部87が形成されている。
【００３３】
そして、これら第１の連動凹部83、第２の連動凹部84、第３の連動凹部85および第４の連動凹部87は、ガイドレール11に取り付けた走行体21を移動させた際に、この走行体21のブロック部材22と取付部材41との間に位置するシャフト25が当接して係合し、この走行体21に連動して移動する。
【００３４】
また、これら第１の連動凹部83、第２の連動凹部84、第３の連動凹部85および第４の連動凹部87それぞれの両側には、扉用連動体81の長手方向に沿った細長い緩和溝部88がそれぞれ形成されている。また、扉用連動体81の長手方向における両側であるこの長手方向における両端近傍には、ガイドレール11の係合片16a，16bに摺動可能に嵌合する係合爪89a，89bが扉用連動体81の面方向に直角な方向に向けて複数、例えば２対突設されている。これら係合爪89a，89bは、第１の走行凹部13aおよび第２の走行凹部13bの両側に位置する係合片16a，16b、および第２の走行凹部13bおよび第３の走行凹部13cの両側に位置する係合片16a，16bのいずれか一方に嵌合する。
【００３５】
さらに、扉用連動体81の幅方向における中間部であるこの扉用連動体81の長手方向における両端近傍の位置には、係合爪89a，89bと同方向に向けて突出する摺動突部91がそれぞれ形成されている。この摺動突部91は、係合爪89a，89bを第１の走行凹部13aおよび第２の走行凹部13bの両側に位置する係合片16a，16bに嵌合した際に、第１の走行凹部13aと第２の走行凹部13bとの間に位置する係合片16a，16b間に摺動可能に挿入され、係合爪89a，89bを第２の走行凹部13bおよび第３の走行凹部13cの両側に位置する係合片16a，16bに嵌合した際に、第２の走行凹部13bと第３の走行凹部13cとの間に位置する係合片16a，16b間に摺動可能に挿入される。
【００３６】
ここで、ガイドレール11の第１の走行凹部13aおよび第２の走行凹部13bに取り付けられる扉用連動体81と、第２の走行凹部13bおよび第３の走行凹部13cに取り付けられる扉用連動体81とは、互いに点対称、すなわち同一形状である。
【００３７】
また、引戸体４の下端面におけるこの引戸体４の長手方向での両側近傍の位置には、略円筒状の埋設凹部93a，93bが形成されており、これら埋設凹部93a，93bには、建物の開口部２の底板部である下端面94に長手方向に沿って取り付けたガイドレール95に対する各引戸体４の移動、すなわち開閉を支持する支持部材96がそれぞれ取り付けられている。
【００３８】
この支持部材96は、略有底円筒状のケース体97を備えており、このケース体97内には、図示しない付勢手段としての弾性体である図示しないばね体を介して、略円柱状のガイド調整体98が軸方向に移動可能に嵌挿されている。また、このガイド調整体98の先端には、このガイド調整体98の回動中心から偏心した略円柱状のガイド99が突設されている。さらに、このガイド99の先端には、支持体としてのピボット100が回動可能に取り付けられており、このピボット100は、略有底円筒状の図示しないピボット本体を備えており、このピボット本体の開口外縁には、径方向に向けて突出する図示しないフランジ部が形成されている。そして、このピボット100は、ガイドレール95の長手方向に沿った図示しない走行凹部に摺動可能に挿入されており、引戸体４を移動した際に、この引戸体４の移動に伴って走行凹部内を摺動する。
【００３９】
次に、上記関連技術の組み立て動作を説明する。
【００４０】
まず、建物の開口部２の上端面３にガイドレール11を取り付けた後、このガイドレール11の第１の走行凹部13a、第２の走行凹部13bおよび第３の走行凹部13cそれぞれに走行体21を２台ずつ移動可能に嵌合する。
【００４１】
次いで、第１の走行凹部13aの長手方向における一端側に嵌合した走行体21のブロック部材22と取付部材41との間に位置するシャフト25に扉用連動体81の第３の連動凹部85を係合させるとともに、第２の走行凹部13bの長手方向における一端側に嵌合した走行体21のブロック部材22と取付部材41との間に位置するシャフト25にこの扉用連動体81の切り欠き部82を位置させた状態で、この扉用連動体81の係合爪89a，89bを第１の走行凹部13aと第２の走行凹部13bとの両側に位置する係合片16a，16bに嵌合するとともに、この扉用連動体81の摺動突部91を第１の走行凹部13aと第２の走行凹部13bとの間に位置する係合片16a，16b間に挿入する。
【００４２】
さらに、第２の走行凹部13bの長手方向における他端側に嵌合した走行体のブロック部材22と取付部材41との間に位置するシャフト25に前記扉用連動体81に点対称な扉用連動体81の切り欠き部82を位置させるとともに、第３の走行凹部13cの長手方向における他端側に嵌合した走行体21のブロック部材22と取付部材41との間に位置するシャフト25にこの扉用連動体81の第３の連動凹部85を係合させた状態で、この扉用連動体81の係合爪89a，89bを第２の走行凹部13bと第３の走行凹部13cとの両側に位置する係合片16a，16bに嵌合するとともに、この扉用連動体81の摺動突部91を第２の走行凹部13bと第３の走行凹部13cとの間に位置する係合片16a，16b間に挿入する。
【００４３】
次いで、各引戸体４の埋設凹部63a，63bにケース体71を取り付けた後、このケース体71を第１の走行凹部13a、第２の走行凹部13bおよび第３の走行凹部13cに嵌合した走行体21の取付部材41にそれぞれ嵌合する。
【００４４】
ここで、引戸体４の上端側の建て付け位置を調整する場合には、プラスドライバを走行体21の摘み体44の十字溝部51に挿入して、この摘み体44を回動する。すると、この摘み体44の回動に伴い、この摘み体44の係合凹部48に位置調整片33を挿入した横方向調整体29が建て付け方向に移動するので、引戸体４の上端側の建て付け調整が可能となる。
【００４５】
また、引戸体４の高さ位置を調整する場合には、プラスドライバで走行体21の傘歯車27を回動する。すると、この傘歯車27の回動に伴い傘歯車26が回動して、シャフト25が上下方向に移動するので、引戸体４の高さ調整が可能となる。
【００４６】
この後、建物の開口部２の下端面94にガイドレール95を取り付け、各引戸体４の下端面に形成した埋設凹部93a，93bそれぞれに支持部材96を取り付ける。
【００４７】
そして、これら支持部材96の各ピボット100を、開口部２の上端面３に取り付けたガイドレール11の第１の走行凹部13a、第２の走行凹部13bおよび第３の走行凹部13cに相当する開口部２の下端面94に取り付けたガイドレール95の走行凹部に挿入する。
【００４８】
ここで、引戸体４の下端側の建て付け位置を調整する場合には、図示しないスパナで支持部材96のガイド99をケース体97に対して回動する。すると、ガイド調整体98の回動中心に対してガイド99の回動中心が偏心しているので、引戸体４の下端側の建て付け調整が可能となる。
【００４９】
次に、上記関連技術の動作を説明する。
【００５０】
まず、図３(ａ)に示すように、各引戸体４を建物の開口部２の一側に移動して、この開口部２を開いた状態から、ガイドレール11の第１の走行凹部13aに嵌合した走行体21に取り付けた引戸体４を、開口部２を閉める方向へと移動する。
【００５１】
このとき、この引戸体４を移動して開口部２の約３分の２を閉めた際に、第１の走行凹部13aの一側に嵌合した走行体21のシャフト25が、第１の走行凹部13aと第２の走行凹部13bとに取り付けた扉用連動体81の第４の連動凹部87に係合する。
【００５２】
この状態で、さらに開口部２を閉めることにより、この扉用連動体81の第２の連動凹部84が、第２の走行凹部13bの他側に嵌合した走行体21のシャフト25に係合する。
【００５３】
この後、第２の走行凹部13bの一側に嵌合した走行体21のシャフト25が、第２の走行凹部13bと第３の走行凹部13cとに取り付けた扉用連動体81の第２の連動凹部84に係合する。
【００５４】
さらに、第１の走行凹部13aおよび第２の走行凹部13bに走行体21を介して取り付けた各引戸体４で開口部２を閉めていく。すると、第３の走行凹部13cの他側に嵌合した走行体21のシャフト25に、第２の走行凹部13bおよび第３の走行凹部13cに嵌合した扉用連動体81の第４の連動凹部87が嵌合して、図３(ｂ)および(ｃ)に示すように、開口部２が閉まる。
【００５５】
また、この状態から第１の走行凹部13aに取り付けた引戸体４を移動して、開口部２を開く場合には、まず、第１の走行凹部13aの他側に嵌合した走行体21のシャフト25が、第１の走行凹部13aと第２の走行凹部13bとに取り付けた扉用連動体81の第３の連動凹部85に係合する。
【００５６】
次いで、この扉用連動体81の第１の連動凹部83が、第２の走行凹部13bの他側に取り付けた走行体21のシャフト25に係合する。
【００５７】
この後、第２の走行凹部13bの一側に嵌合した走行体21のシャフト25が、第２の走行凹部13bと第３の走行凹部13cとに取り付けた扉用連動体81の第１の連動凹部83に係合する。
【００５８】
さらに、この扉用連動体81の第３の連動凹部85が、第３の走行凹部13cの一側に嵌合した走行体21のシャフト25に係合して、図３(ａ)に示すように、開口部２が開く。
【００５９】
上述したように、上記関連技術によれば、開口部２の上端面３にガイドレール11を取り付け、このガイドレール11の第１の走行凹部13a、第２の走行凹部13bおよび第３の走行凹部13cそれぞれに少なくとも２つ以上ずつ走行体21を嵌合し、これら走行体21に、一対の対称な扉用連動体81を取り付ける。
【００６０】
この後、これら第１の走行凹部13a、第２の走行凹部13bおよび第３の走行凹部13c毎に、これら第１の走行凹部13a、第２の走行凹部13bおよび第３の走行凹部13cに嵌合した走行体21に引戸体４を取り付ける。
【００６１】
この結果、各引戸体４をガイドレール11に取り付ける、すなわち吊り込む以前の状態で、このガイドレール11に走行体21および扉用連動体81を取り付けることができるので、各引戸体４の建て付け作業を容易にできるとともに、上吊り式に対応できる。
【００６２】
また、扉用連動体81に形成した第１の連動凹部83、第２の連動凹部84、第３の連動凹部85および第４の連動凹部87を切り欠き状にしたことにより、この扉用連動体81を走行体21に取り付ける際の作業を容易にできる。このため、引戸体４の建て付け作業を容易にできる。
【００６３】
さらに、ガイドレール11に嵌合した走行体21に扉用連動体81を取り付ける際に、この扉用連動体81の係合爪89a，89bが、第１の走行凹部13aおよび第２の走行凹部13b、または第２の走行凹部13bおよび第３の走行凹部13cの係合片16a，16bにそれぞれ摺動可能に係合するとともに、この扉用連動体81の摺動突部91が第１の走行凹部13aと第２の走行凹部13bとの間の係合片16a，16b間、または第２の走行凹部13bと第３の走行凹部13cとの間の係合片16a，16b間に挿入する。
【００６４】
この結果、ガイドレール11の係合片16a，16bに扉用連動体81の係合爪89a，89bが係合するので、ガイドレール11に対する扉用連動体81の離脱を防止できるとともに、ガイドレール11に対する扉用連動体81の摺動を案内および支持できる。また、ガイドレール11の係合片16a，16bに扉用連動体81の摺動突部91が挿入することにより、ガイドレール11に対する扉用連動体81の摺動をより案内できる。
【００６５】
そして、走行体21のブロック部材22の傘歯車27を回動することにより、走行体21のシャフト25が上下方向に移動するので、この走行体21に吊り込んだ引戸体４の高さ調整を容易にできる。
【００６６】
また、走行体21の取付部材41の摘み体44を回動することにより、走行体21の位置調整片33が引戸体４の建て付け方向に移動して、この走行体21のシャフト25が取付部材41に対して建て付け方向に移動するので、この走行体21に吊り込んだ引戸体４の上端側の建て付け調整が容易にできる。
【００６７】
さらに、各引戸体４の開口部２の下端面94に取り付けた支持部材96のガイド99を回動させることにより、この支持部材96のケース体97の軸中心に対しガイド99の軸中心が偏心するので、開口部２の下端面94に取り付けたガイドレール95に対する各引戸体４の下端側の建て付け調整が容易にできる。
【００６８】
そして、走行体21の取付部材41のレバー部59を上方へ移動することにより、この取付部材41に着脱可能に取り付けたケース体71を取り外すことができるので、走行体21に対する引戸体４の吊り込み作業および取り外し作業を容易にできる。
【００６９】
また、走行体21の取付部材41にケース体71を取り付けた際に、この取付部材41の係合段部61にケース体71の嵌合突部72が嵌合するので、取付部材41に対するケース体71の離脱を適度に防止できる。
【００７０】
さらに、扉用連動体81の第１の連動凹部83、第２の連動凹部84、第３の連動凹部85および第４の連動凹部87それぞれの両側に、緩和溝部88をそれぞれ形成したことにより、引戸体４の開閉時に生じるこれら第１の連動凹部83、第２の連動凹部84、第３の連動凹部85および第４の連動凹部87に対する走行体21のシャフト25の衝突を緩和できる。この結果、走行体21および扉用連動体81の破損を防止できるので、長期間に亘り使用できる。
【００７１】
そして、一枚の金属板をプレス成形することにより、走行体21の取付部材41に取り付けた横方向調整体29を形成したため、この横方向調整体29の製造が容易である。このため、走行体21の製造性を向上できる。
【００７２】
次に、本発明の第１の実施の形態の構成を図５を参照して説明する。
【００７３】
この図５に示す上吊式扉支持装置１は、基本的には図１ないし図４に示す上吊式扉支持装置１と同一であるが、扉用連動体81の長手方向における一側略中央に略細長矩形状の通し孔部としての挿通開口111を穿設したものである。
【００７４】
そして、扉用連動体81の長手方向における挿通開口111の開口縁には、第１の連動凹部83および第２の連動凹部84が形成されている。また、この挿通開口111は、走行体21のブロック部材22および各ガイドローラ24が挿通する。
【００７５】
この結果、ガイドレール11に走行体21を嵌合した後、これらガイドレール11および走行体21に扉用連動体81を取り付け、この走行体21に引戸体４を取り付けることにより、引戸体４をガイドレール11に吊り込む以前に、このガイドレール11に走行体21および扉用連動体81を取り付けることができるので、上吊り式に対応できるとともに、図１ないし図４に示す上吊式扉支持装置１と同様の作用効果を奏することができる。
【００７６】
また、扉用連動体81に挿通開口111を形成したため、扉用連動体81に切り欠き部82を形成した場合に比べ、ガイドレール11および走行体21に対する扉用連動体81の離脱を防止できるとともに、扉用連動体81自体の強度を向上でき、さらにはガイドレール11および走行体21に対する扉用連動体81の取り付け作業を容易にできる。
【００７７】
次に、本発明の第２の実施の形態の構成を図６を参照して説明する。
【００７８】
この図６に示す上吊式扉支持装置１は、基本的には図１ないし図４に示す上吊式扉支持装置１と同一であるが、扉用連動体81の第１の連動凹部83と第２の連動凹部84との両側にそれぞれ形成した係合部としての係合爪片121が、走行体21のブロック部材22に形成した被係合部としての係合受爪122に摺動可能に係合するものである。
【００７９】
そして、係合爪片121は、横断面が爪状に形成されており、扉用連動体81の長手方向に沿って突設されている。また、扉用連動体81の長手方向における一側に位置する係合爪片121は、この扉用連動体81の長手方向における一側略中央に形成した切り欠き部82により分割されている。さらに、扉用連動体81の長手方向における他側に位置する係合爪片121は、第１の連動凹部83の一側から第２の連動凹部84の一側へと一体的に形成されている。
【００８０】
また、係合受爪122は、係合爪片121と係合可能な横断面爪状に形成されており、ブロック部材22の長手方向における両側面でのシャフト25が突出した側に、このブロック部材22の長手方向に沿って突設されている。
【００８１】
この結果、ガイドレール11に走行体21を嵌合した後、この走行体21に扉用連動体81を取り付け、この走行体21に引戸体４を取り付けることにより、引戸体４をガイドレール11に吊り込む以前に、このガイドレール11に走行体21および扉用連動体81を取り付けることができるので、上吊り式に対応できるとともに、図１ないし図４に示す上吊式扉支持装置１と同様の作用効果を奏することができる。
【００８２】
また、扉用連動体81の第１の連動凹部83および第２の連動凹部84のいずれかに走行体21のシャフト25が係合する際に、この走行体21の係合受爪122と、扉用連動体81の係合爪片121とが係合する。このため、走行体21に係合した扉用連動体81で、この走行体21に隣接した走行体21を連動させる際における扉用連動体81の移動をより正確にできるとともに、扉用連動体81に対する走行体21の係合をより確実にできる。
【００８３】
なお、上記各実施の形態では、開口部２の上端面３にガイドレール11を取り付けた後、このガイドレール11に走行体21を取り付け、この走行体21に扉用連動体81を取り付け、この後、この走行体21に引戸体４を取り付ける構成について説明したが、このような構成に限定されることはなく、走行体21を予めガイドレール11に取り付けた後、このガイドレール11を開口部２の上端面３に取り付け、次いで、このガイドレール11に取り付けた走行体21に扉用連動体81を取り付けた後、これら走行体21に引戸体４を取り付けることもできる。そしてこのように構成することにより、上吊り式に対応できるとともに、上記各実施の形態と同様の作用効果を奏することができ、さらには、予め走行体21を取り付けたガイドレール11を準備しておくことにより、作業現場での各引戸体４の吊り込み作業をより容易にできる。
【００８４】
また、扉用連動体81を嵌合した走行体21をガイドレール11に取り付けた後、このガイドレール11を開口部２の上端面３に取り付け、この状態で各走行体21に引戸体４を取り付けることもできる。この結果、上吊り式に対応できるとともに、上記各実施の形態と同様の作用効果を奏することができ、さらには、予め扉用連動体81および走行体21を取り付けたガイドレール11を準備しておくことにより、作業現場での各引戸体４の吊り込み作業をさらに容易にできる。
【００８５】
さらに、上記各実施の形態では、各引戸体４の下端面に支持部材96を取り付けて、この支持部材96をガイドレール95に摺動可能に嵌合した構成について説明したが、上下動可能な図示しないガイドピンを各引戸体４の下端面にそれぞれ取り付けることにより、走行の妨げとなるガイドレール95を撤去できるとともに、構成が簡略になるので製造性を向上できる。
【００８６】
また、上記各実施の形態では、ガイドレール11を開口部２の上端面３に取り付け、このガイドレール11に引戸体４を吊り込んでいるが、このような構成に限定されることはなく、開口部２の縦枠131などにも取り付けることができ、上記各実施の形態と同様の作用効果を奏することができる。
【００８７】
【発明の効果】
請求項１記載の上吊式扉支持装置によれば、ガイドレールの複数の移動面のそれぞれに走行体を移動可能に嵌合した後、これら走行体のそれぞれに連動体を摺動可能に嵌合するとともに、この連動体をガイドレールおよび走行体の少なくともいずれか一方に摺動可能に嵌合し、これら各走行体に扉体を取り付けるため、扉体をガイドレールに吊り込む以前に、このガイドレールに走行体および連動体を取り付けることができるので、上吊式に対応できる。
【００８８】
さらに、走行体のブロック部材および各ガイドローラが挿通される通し孔部を連動体に設けたため、走行体に対する連動体の取り付けを容易にできる。
【００８９】
請求項２記載の上吊式扉支持装置によれば、請求項１記載の上吊式扉支持装置の効果に加え、連動体に形成された係合爪片と、ブロック部材に形成された係合受片とを摺動可能に係合させることにより、連動体の移動をより確実にできるとともに、連動体に対するブロック部材の係合をより確実にできる。
【図面の簡単な説明】
【図１】  本発明の上吊式扉支持装置の関連技術を示す分解斜視図である。
【図２】  同上上吊式扉支持装置の取付部材を示す分解斜視図である。
【図３】  同上上吊式扉支持装置の動作を示す説明図である。
（ａ）同上上吊式扉支持装置での開放状態を示す上面図
（ｂ）同上上吊式扉支持装置での閉塞状態を示す上面図
（ｃ）同上上吊式扉支持装置での閉塞状態を示す側面図
【図４】  同上上吊式扉支持装置の一部を示す断面図である。
【図５】  本発明の第１の実施の形態での連動体を示す斜視図である。
【図６】  本発明の第２の実施の形態の一部を示す分解断面図である。
【符号の説明】
１    上吊式扉支持装置
２    開口部
３ 上端面
４    扉体としての引戸体
11    ガイドレール
13a 走行凹部としての第１の走行凹部
13b 走行凹部としての第２の走行凹部
13c 走行凹部としての第３の走行凹部
15a，15b    移動面としてのローラ走行面
21    走行体
22 ブロック部材
24 ガイドローラ
25 シャフト
41 取付部材
81    連動体としての扉用連動体
83 第１の連動凹部
84 第２の連動凹部
85 第３の連動凹部
111   通し孔部としての挿通開口
121 係合爪片
122 係合受爪
【図１】
0003787267.tif 000002
【図２】
0003787267.tif 000003
【図３】
0003787267.tif 000004
【図４】
0003787267.tif 000005
【図５】
0003787267.tif 000006
【図６】
0003787267.tif 000007